【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
レーザから発生するレーザビームにより画像情報に対応した静電潜像を表面保護層を有する有機感光体上に形成し、形成された静電潜像を現像して顕画像を得る画像形成方法において、
一定画像形成枚数毎又は一定時間毎の作像ラストシーケンスに、レーザ出力強度を変化させて前記有機感光体上に規定画素密度の画像パッチの静電潜像を作成し、形成された静電潜像の電位を検出し、該検出した電位検出情報に基づいて、規定画素密度の前記静電潜像が規定電位となる前記レーザ出力強度を求め、求めた前記レーザ出力強度を基準として画像を形成することを特徴とする画像形成方法。
【請求項２】
前記保護層の摩耗速度をＶ１と、前記保護層に続く前記有機感光体の層の摩耗度をＶ２との比Ｖ１／Ｖ２が０．５以下であることを特徴とする請求項１に記載の画像形成方法。
【請求項３】
レーザから発生するレーザビームにより画像情報に対応した静電潜像を表面保護層を有する有機感光体上に形成し、形成された静電潜像を現像して顕画像を得る画像形成方法において、
一定画像形成枚数毎又は一定時間毎の作像ラストシーケンスに、画像処理パラメータを変化させて前記有機感光体上に規定画素密度の画像パッチの静電潜像を作成し、形成された静電潜像の電位を検出し、該検出した電位検出情報に基づいて、規定画素密度の前記静電潜像が規定電位となる前記画像処理パラメータを求め、求めた前記画像処理パラメータを基準として画像を形成することを特徴とする画像形成方法。
【請求項４】
前記保護層の摩耗速度をＶ１と、前記保護層に続く前記有機感光体の層の摩耗度をＶ２との比Ｖ１／Ｖ２が０．５以下であることを特徴とする請求項３に記載の画像形成方法。
【請求項５】
表面に保護層を有する有機感光体、
該有機感光体を帯電する帯電手段、
レーザ光源を有し、帯電された前記有機感光体を露光して静電潜像を形成する露光手段及び、
前記有機感光体上に形成された静電潜像を現像して顕画像を形成する現像手段、
を有する画像形成装置において、
規定画素密度の画像パッチを形成する画像パッチデータを生成する画像パッチデータ生成手段、
前記画像パッチデータに基づいた露光及び現像により形成された画像パッチの濃度を検出する濃度検出手段及び、
該濃度検出手段の濃度検出情報に基づいて、規定濃度の画像パッチが形成されるように、前記レーザ光源の出力強度を調整する調整手段、
を有することを特徴とする画像形成装置。
【請求項６】
前記レーザ光源の出力光のパルス幅を制御するＰＷＭ制御により、階調補正を行う階調補正手段を有し、前記濃度検出手段は、階調補正における濃度検出手段として用いられることを特徴とする請求項５に記載の画像形成装置。
【請求項７】
前記現像手段の現像性を調整することにより、最高濃度の補正を行う最高濃度補正手段を有し、前記濃度検出手段は、最高濃度補正における濃度検出手段として用いられることを特徴とする請求項５又は６に記載の画像形成装置。
【請求項８】
前記保護層の摩耗速度をＶ１と、前記保護層に続く前記有機感光体の層の摩耗度をＶ２との比Ｖ１／Ｖ２が０．５以下であることを特徴とする請求項５〜７のいずれか１項に記載の画像形成装置。
【請求項９】
表面に保護層を有する有機感光体、
該有機感光体を帯電する帯電手段、
レーザ光源を有し、帯電された前記有機感光体を露光して静電潜像を形成する露光手段及び、
前記有機感光体上に形成された静電潜像を現像して顕画像を形成する現像手段
を有する画像形成装置において、
規定画素密度の画像パッチを形成する画像パッチデータを生成する画像パッチデータ生成手段、
前記画像パッチデータに基づいた露光により形成された静電潜像の電位を検出する電位検出手段及び、
該電位検出手段の電位検出情報に基づいて、規定電位の画像パッチの静電潜像が形成されるように、前記レーザ光源の出力強度を調整する調整手段、
を有することを特徴とする画像形成装置。
【請求項１０】
前記保護層の摩耗速度をＶ１と、前記保護層に続く前記有機感光体の層の摩耗度をＶ２との比Ｖ１／Ｖ２が０．５以下であることを特徴とする請求項９に記載の画像形成装置。
【請求項１１】
前記レーザ光源の出力光のパルス幅を制御するＰＷＭ制御により、階調補正を行う階調補正手段を有することを特徴とする請求項９又は１０に記載の画像形成装置。
【請求項１２】
前記現像手段の現像性を調整することにより、最高濃度補正を行う最高濃度補正手段を有することを特徴とする請求項９〜１１のいずれか１項に記載の画像形成装置。
【請求項１３】
表面に保護層を有する有機感光体、
該有機感光体を帯電する帯電手段、
レーザ光源を有し、帯電された前記有機感光体を露光して静電潜像を形成する露光手段及び、
前記有機感光体上に形成された静電潜像を現像して顕画像を形成する現像手段
を有する画像形成装置において、
前記レーザ光源の出力強度を調整する調整手段及び、
該調整手段を画像形成枚数に関してか又は時間に関して定期的、且つ、自動的に前記調整手段を作動させて、前記レーザ光源の出力強度の補正を行う制御手段を有することを特徴とする画像形成装置。
【請求項１４】
表面に保護層を有する有機感光体、
該有機感光体を帯電する帯電手段、
画像データを処理する画像処理手段、
該画像処理手段により処理された画像データに基づいて発光するレーザ光源を有し、帯電された前記有機感光体を露光して静電潜像を形成する露光手段及び、
前記有機感光体上に形成された静電潜像を現像して顕画像を形成する現像手段、
を有する画像形成装置において、
規定画素密度の画像パッチを形成する画像パッチデータを生成する画像パッチデータ生成手段、
前記画像パッチデータに基づいた露光及び現像により形成された画像パッチの濃度を検出する濃度検出手段及び、
該濃度検出手段の濃度検出情報に基づいて、規定濃度の画像パッチが形成されるように、前記画像処理手段が行う画像処理における画像処理パラメータを調整する調整手段、
を有することを特徴とする画像形成装置。
【請求項１５】
表面に保護層を有する有機感光体、
該有機感光体を帯電する帯電手段、
画像データを処理する画像処理手段、
該画像処理手段により処理された画像データに基づいて発光するレーザ光源を有し、帯電された前記有機感光体を露光して静電潜像を形成する露光手段及び、
前記有機感光体上に形成された静電潜像を現像して顕画像を形成する現像手段
を有する画像形成装置において、
規定画素密度の画像パッチを形成する画像パッチデータを生成する画像パッチデータ生成手段、
前記画像パッチデータに基づいた露光により形成された静電潜像の電位を検出する電位検出手段及び、
該電位検出手段の電位検出情報に基づいて、規定電位の画像パッチの静電潜像が形成されるように、前記画像処理手段が行う画像処理における画像処理パラメータを調整する調整手段、
を有することを特徴とする画像形成装置。
【請求項１６】
表面に保護層を有する有機感光体、
該有機感光体を帯電する帯電手段、
画像データを処理する画像処理手段、
該画像処理手段により処理された画像データに基づいて発光するレーザ光源を有し、帯電された前記有機感光体を露光して静電潜像を形成する露光手段及び、
前記有機感光体上に形成された静電潜像を現像して顕画像を形成する現像手段
を有する画像形成装置において、
前記画像処理手段が行う画像処理における画像処理パラメータを調整する調整手段及び、
該調整手段を画像形成枚数に関してか又は時間に関して定期的、且つ、自動的に前記調整手段を作動させて、前記画像処理パラメータの調整を行う制御手段を有することを特徴とする画像形成装置。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】変更
【補正の内容】
【００４６】
１．レーザから発生するレーザビームにより画像情報に対応した静電潜像を表面保護層を有する有機感光体上に形成し、形成された静電潜像を現像して顕画像を得る画像形成方法において、
一定画像形成枚数毎又は一定時間毎の作像ラストシーケンスに、レーザ出力強度を変化させて前記有機感光体上に規定画素密度の画像パッチの静電潜像を作成し、形成された静電潜像の電位を検出し、該検出した電位検出情報に基づいて、規定画素密度の前記静電潜像が規定電位となる前記レーザ出力強度を求め、求めた前記レーザ出力強度を基準として画像を形成することを特徴とする画像形成方法。
【手続補正３１】
【補正対象書類名】明細書
【補正対象項目名】００４７
【補正方法】変更
【補正の内容】
【００４７】
２．前記保護層の摩耗速度をＶ１と、前記保護層に続く前記有機感光体の層の摩耗度をＶ２との比Ｖ１／Ｖ２が０．５以下であることを特徴とする前記１に記載の画像形成方法。
【手続補正３２】
【補正対象書類名】明細書
【補正対象項目名】００４８
【補正方法】変更
【補正の内容】
【００４８】
３．レーザから発生するレーザビームにより画像情報に対応した静電潜像を表面保護層を有する有機感光体上に形成し、形成された静電潜像を現像して顕画像を得る画像形成方法において、
一定画像形成枚数毎又は一定時間毎の作像ラストシーケンスに、画像処理パラメータを変化させて前記有機感光体上に規定画素密度の画像パッチの静電潜像を作成し、形成された静電潜像の電位を検出し、該検出した電位検出情報に基づいて、規定画素密度の前記静電潜像が規定電位となる前記画像処理パラメータを求め、求めた前記画像処理パラメータを基準として画像を形成することを特徴とする画像形成方法。
【手続補正３３】
【補正対象書類名】明細書
【補正対象項目名】００４９
【補正方法】変更
【補正の内容】
【００４９】
４．前記保護層の摩耗速度をＶ１と、前記保護層に続く前記有機感光体の層の摩耗度をＶ２との比Ｖ１／Ｖ２が０．５以下であることを特徴とする前記３に記載の画像形成方法。
【手続補正３４】
【補正対象書類名】明細書
【補正対象項目名】００５０
【補正方法】変更
【補正の内容】
【００５０】
５．表面に保護層を有する有機感光体、
該有機感光体を帯電する帯電手段、
レーザ光源を有し、帯電された前記有機感光体を露光して静電潜像を形成する露光手段及び、
前記有機感光体上に形成された静電潜像を現像して顕画像を形成する現像手段、
を有する画像形成装置において、
規定画素密度の画像パッチを形成する画像パッチデータを生成する画像パッチデータ生成手段、
前記画像パッチデータに基づいた露光及び現像により形成された画像パッチの濃度を検出する濃度検出手段及び、
該濃度検出手段の濃度検出情報に基づいて、規定濃度の画像パッチが形成されるように、前記レーザ光源の出力強度を調整する調整手段、
を有することを特徴とする画像形成装置。
【手続補正３５】
【補正対象書類名】明細書
【補正対象項目名】００５１
【補正方法】変更
【補正の内容】
【００５１】
６．前記レーザ光源の出力光のパルス幅を制御するＰＷＭ制御により、階調補正を行う階調補正手段を有し、前記濃度検出手段は、階調補正における濃度検出手段として用いられることを特徴とする前記５に記載の画像形成装置。
【手続補正３６】
【補正対象書類名】明細書
【補正対象項目名】００５２
【補正方法】変更
【補正の内容】
【００５２】
７．前記現像手段の現像性を調整することにより、最高濃度の補正を行う最高濃度補正手段を有し、前記濃度検出手段は、最高濃度補正における濃度検出手段として用いられることを特徴とする前記５又は６に記載の画像形成装置。
【手続補正３７】
【補正対象書類名】明細書
【補正対象項目名】００５３
【補正方法】変更
【補正の内容】
【００５３】
８．前記保護層の摩耗速度をＶ１と、前記保護層に続く前記有機感光体の層の摩耗度をＶ２との比Ｖ１／Ｖ２が０．５以下であることを特徴とする前記５〜７のいずれか１項に記載の画像形成装置。
【手続補正３８】
【補正対象書類名】明細書
【補正対象項目名】００５４
【補正方法】変更
【補正の内容】
【００５４】
９．表面に保護層を有する有機感光体、
該有機感光体を帯電する帯電手段、
レーザ光源を有し、帯電された前記有機感光体を露光して静電潜像を形成する露光手段及び、
前記有機感光体上に形成された静電潜像を現像して顕画像を形成する現像手段
を有する画像形成装置において、
規定画素密度の画像パッチを形成する画像パッチデータを生成する画像パッチデータ生成手段、
前記画像パッチデータに基づいた露光により形成された静電潜像の電位を検出する電位検出手段及び、
該電位検出手段の電位検出情報に基づいて、規定電位の画像パッチの静電潜像が形成されるように、前記レーザ光源の出力強度を調整する調整手段、
を有することを特徴とする画像形成装置。
【手続補正３９】
【補正対象書類名】明細書
【補正対象項目名】００５５
【補正方法】変更
【補正の内容】
【００５５】
１０．前記保護層の摩耗速度をＶ１と、前記保護層に続く前記有機感光体の層の摩耗度をＶ２との比Ｖ１／Ｖ２が０．５以下であることを特徴とする前記９に記載の画像形成装置。
【手続補正４０】
【補正対象書類名】明細書
【補正対象項目名】００５６
【補正方法】変更
【補正の内容】
【００５６】
１１．前記レーザ光源の出力光のパルス幅を制御するＰＷＭ制御により、階調補正を行う階調補正手段を有することを特徴とする前記９又は１０に記載の画像形成装置。
【手続補正４１】
【補正対象書類名】明細書
【補正対象項目名】００５７
【補正方法】変更
【補正の内容】
【００５７】
１２．前記現像手段の現像性を調整することにより、最高濃度補正を行う最高濃度補正手段を有することを特徴とする前記９〜１１のいずれか１項に記載の画像形成装置。
【手続補正４２】
【補正対象書類名】明細書
【補正対象項目名】００５８
【補正方法】変更
【補正の内容】
【００５８】
１３．表面に保護層を有する有機感光体、
該有機感光体を帯電する帯電手段、
レーザ光源を有し、帯電された前記有機感光体を露光して静電潜像を形成する露光手段及び、
前記有機感光体上に形成された静電潜像を現像して顕画像を形成する現像手段
を有する画像形成装置において、
前記レーザ光源の出力強度を調整する調整手段及び、
該調整手段を画像形成枚数に関してか又は時間に関して定期的、且つ、自動的に前記調整手段を作動させて、前記レーザ光源の出力強度の補正を行う制御手段を有することを特徴とする画像形成装置。
【手続補正４３】
【補正対象書類名】明細書
【補正対象項目名】００５９
【補正方法】変更
【補正の内容】
【００５９】
１４．表面に保護層を有する有機感光体、
該有機感光体を帯電する帯電手段、
画像データを処理する画像処理手段、
該画像処理手段により処理された画像データに基づいて発光するレーザ光源を有し、帯電された前記有機感光体を露光して静電潜像を形成する露光手段及び、
前記有機感光体上に形成された静電潜像を現像して顕画像を形成する現像手段、
を有する画像形成装置において、
規定画素密度の画像パッチを形成する画像パッチデータを生成する画像パッチデータ生成手段、
前記画像パッチデータに基づいた露光及び現像により形成された画像パッチの濃度を検出する濃度検出手段及び、
該濃度検出手段の濃度検出情報に基づいて、規定濃度の画像パッチが形成されるように、前記画像処理手段が行う画像処理における画像処理パラメータを調整する調整手段、
を有することを特徴とする画像形成装置。
【手続補正４４】
【補正対象書類名】明細書
【補正対象項目名】００６０
【補正方法】変更
【補正の内容】
【００６０】
１５．表面に保護層を有する有機感光体、
該有機感光体を帯電する帯電手段、
画像データを処理する画像処理手段、
該画像処理手段により処理された画像データに基づいて発光するレーザ光源を有し、帯電された前記有機感光体を露光して静電潜像を形成する露光手段及び、
前記有機感光体上に形成された静電潜像を現像して顕画像を形成する現像手段
を有する画像形成装置において、
規定画素密度の画像パッチを形成する画像パッチデータを生成する画像パッチデータ生成手段、
前記画像パッチデータに基づいた露光により形成された静電潜像の電位を検出する電位検出手段及び、
該電位検出手段の電位検出情報に基づいて、規定電位の画像パッチの静電潜像が形成されるように、前記画像処理手段が行う画像処理における画像処理パラメータを調整する調整手段、
を有することを特徴とする画像形成装置。
【手続補正４５】
【補正対象書類名】明細書
【補正対象項目名】００６１
【補正方法】変更
【補正の内容】
【００６１】
１６．表面に保護層を有する有機感光体、
該有機感光体を帯電する帯電手段、
画像データを処理する画像処理手段、
該画像処理手段により処理された画像データに基づいて発光するレーザ光源を有し、帯電された前記有機感光体を露光して静電潜像を形成する露光手段及び、
前記有機感光体上に形成された静電潜像を現像して顕画像を形成する現像手段
を有する画像形成装置において、
前記画像処理手段が行う画像処理における画像処理パラメータを調整する調整手段及び、
該調整手段を画像形成枚数に関してか又は時間に関して定期的、且つ、自動的に前記調整手段を作動させて、前記画像処理パラメータの調整を行う制御手段を有することを特徴とする画像形成装置。
【手続補正４６】
【補正対象書類名】明細書
【補正対象項目名】０１７７
【補正方法】変更
【補正の内容】
【０１７７】
【発明の効果】
請求項１４又は１５の発明により、表面に保護層を有する有機感光体を用いた画像形成方法において、保護層に起因する画像特性の変動が良好に補正されて高画質の画像が形成される。
【手続補正４７】
【補正対象書類名】明細書
【補正対象項目名】０１７８
【補正方法】削除
【補正の内容】
【手続補正４８】
【補正対象書類名】明細書
【補正対象項目名】０１７９
【補正方法】削除
【補正の内容】
【手続補正４９】
【補正対象書類名】明細書
【補正対象項目名】１８０
【補正方法】削除
【補正の内容】
【手続補正５０】
【補正対象書類名】明細書
【補正対象項目名】０１８１
【補正方法】変更
【補正の内容】
【０１８１】
請求項６又は１１の発明により、階調曲線上の１点における濃度の調整とともに、階調曲線全体の補正が良好に行われるので、画像の鮮鋭性、階調特性等の諸特性が良好に補正され、高画質の画像が形成される。また、所望の階調特性を持った画像を形成することができる。
【手続補正５１】
【補正対象書類名】明細書
【補正対象項目名】０１８２
【補正方法】変更
【補正の内容】
【０１８２】
請求項７又は１２の発明により、適正な最高濃度を持った画像を形成することができる。また、所望の最高濃度の画像を形成することができる。
【手続補正５２】
【補正対象書類名】明細書
【補正対象項目名】０１８３
【補正方法】変更
【補正の内容】
【０１８３】
請求項２、４、８又は１０の発明により、高耐久性の感光体を用いて、高画質の画像を形成することができ、且つ、長期間に亘って、高画質を維持することができる。
【手続補正５３】
【補正対象書類名】明細書
【補正対象項目名】０１８４
【補正方法】変更
【補正の内容】
【０１８４】
請求項１又は３の発明により、レーザ出力強度の補正を実行することによる画像形成効率の低下がないので、画像形成装置の使いやすさを損なうことなく、高画質を維持することができる。また、画像形成特性が安定している状態で補正が行われるので、補正された画像形成特性が安定して維持され、高画質の画像を安定して形成することができる。
【手続補正５４】
【補正対象書類名】明細書
【補正対象項目名】０１８５
【補正方法】変更
【補正の内容】
【０１８５】
請求項５、９又は１４の発明により、表面に保護層を有する有機感光体を使用した画像形成装置であって、高画質の画像が安定して形成される画像形成装置が実現される。
【手続補正５５】
【補正対象書類名】明細書
【補正対象項目名】０１８６
【補正方法】変更
【補正の内容】
【０１８６】
請求項１３又は１６の発明により、表面に保護層を有する感光体を用いた画像形成装置であって、長期間に亘って、高画質が維持される画像形成装置が実現される。